(57)【要約】      （修正有）【課題】パソコンの制御により通話端末の設定変更又はファームウェアのアップデートを実行するにあたって、誤ったデータ書き込み・ダウンロードを防止するとともに、当該通話端末の破損や故障の発生を防止する。【解決手段】通話端末（子機、親機のうち少なくとも１）１、２のＣＰＵ１３、２３は、パソコン４のＣＰＵ４２から送信されたＭＡＣアドレスと自端末のＭＡＣアドレスとを照合し、さらには当該ＭＡＣアドレスが有する特定のバイトを参照することで、制御データに係る機種（機種名）を判別することができるため、間違った機種の端末へのデータ書き込み・ダウンロードを実行しようとした場合、エラー（エラー送信）であると報知することができるばかりでなく、その旨の照合結果をパソコン４に転送し報知させることができる。【選択図】図２
2013046243.tif 000002
【特許請求の範囲】
【請求項１】
子機（１）、親機（２）のうち少なくとも１で構成され、ＭＡＣアドレス、機種名が予め割り当てられた通話端末（１、２）と、前記通話端末を管理・制御するための制御装置（３）とを学校・工場等の施設に設置し、前記通話端末及び前記制御装置それぞれがルータ（５）を経由してＬＡＮ（６）に接続可能なインターホンシステムにおいて、
前記ＬＡＮに接続可能なパソコン（４）を備え、
前記パソコンは、前記通話端末が有するＩＰアドレスに対して設定変更又はファームウェアのアップデートに係る制御データをＭＡＣアドレスとともに送信するためのＣＰＵ（４２）を備え、
前記通話端末は、前記パソコンの前記ＣＰＵから送信された前記ＭＡＣアドレスと前記自端末のＭＡＣアドレスとを照合するためのＣＰＵ（１３、２３）と、前記ＣＰＵの照合結果を報知するための報知部（１１、１２、２１、２２）とを備え、
前記通話端末の前記ＣＰＵは、前記照合結果を前記パソコンの前記ＣＰＵに送信することを特徴とするインターホンシステム。
【請求項２】
前記通話端末の前記ＣＰＵは、前記パソコンの前記ＣＰＵから送信された前記ＭＡＣアドレスが有する特定のバイトと前記自端末の前記ＭＡＣアドレスが有する特定のバイトとを参照することで前記制御データに係る機種を判別することを特徴とする請求項１記載のインターホンシステム。
【発明の詳細な説明】
【技術分野】
【０００１】
本発明は、学校・工場等の施設（業務用施設）に設置されるインターホンシステムに係り、特に、当該施設内に設けられる通話端末をＬＡＮに接続可能なインターホンシステムに関する。
【背景技術】
【０００２】
近年、ＬＡＮ等のネットワークを経由して接続される多種・多様な端末を、パソコン等を使用して管理するにあたり、例えば、設定変更又はファームウェアのアップデートが必要とされる端末が有するＩＰアドレスを特定し、この特定された宛先のＩＰアドレスに対して制御データの送信を行う技術が開示されている（例えば、特許文献１を参照。）。
【先行技術文献】
【特許文献】
【０００３】
【特許文献１】特開２００１−２１７９８３号公報
【発明の概要】
【発明が解決しようとする課題】
【０００４】
しかしながら、従来例に記載の技術によれば、設定変更又はファームウェアのアップデートが必要とされる対象端末の機種の相違に応じて、誤ったデータ書き込み・ダウンロードが実行されるおそれがあり、誤ったデータ書き込み・ダウンロードが実行された端末においては異常・故障状態となり操作機能が無効となったり、端末自体の使用ができなくなるばかりでなく、パソコン等以外の専用の書き込み装置を使用してデータ書き込み・ダウンロードを実行せねばならない難点があった。
【０００５】
本発明は、これらの難点を解消するためになされたもので、パソコンの制御により通話端末の設定変更又はファームウェアのアップデートを実行するにあたって、誤ったデータ書き込み・ダウンロードを防止するとともに、当該通話端末の破損や故障の発生を防止したインターホンシステムを提供することを目的としている。
【課題を解決するための手段】
【０００６】
前述の目的を達成するため、本発明の第１の態様であるインターホンシステムは、子機、親機のうち少なくとも１で構成され、ＭＡＣアドレス、機種名が予め割り当てられた通話端末と、通話端末を管理・制御するための制御装置とを学校・工場等の施設に設置し、通話端末及び制御装置それぞれがルータを経由してＬＡＮに接続可能なインターホンシステムにおいて、ＬＡＮに接続可能なパソコンを備えている。パソコンは、通話端末が有するＩＰアドレスに対して設定変更又はファームウェアのアップデートに係る制御データをＭＡＣアドレスとともに送信するためのパソコンＣＰＵを備えている。通話端末は、パソコンのＣＰＵから送信されたＭＡＣアドレスと自端末のＭＡＣアドレスとを照合するためのＣＰＵと、ＣＰＵの照合結果を報知するための報知部とを備えている。通話端末のＣＰＵは、照合結果をパソコンのＣＰＵに送信するものである。
【０００７】
また、本発明の第２の態様であるインターホンシステムは、本発明の第１の態様において、通話端末のＣＰＵは、パソコンのＣＰＵから送信されたＭＡＣアドレスが有する特定のバイトと自端末のＭＡＣアドレスが有する特定のバイトとを参照することで制御データに係る機種を判別するものである。
【発明の効果】
【０００８】
本発明のインターホンシステムによれば、通話端末（子機、親機のうち少なくとも１）のＣＰＵは、パソコンのＣＰＵから送信されたＭＡＣアドレスと自端末のＭＡＣアドレスとを照合し、さらには当該ＭＡＣアドレスが有する特定のバイトを参照することで、制御データに係る機種（機種名）を判別することができるため、間違った機種の端末へのデータ書き込み・ダウンロードを実行しようとした場合、エラー（エラー送信）であると報知することができるばかりでなく、その旨の照合結果をパソコンに転送し報知させることで、正しい書き込み・ダウンロードを実行するように当該インターホンシステムの施工・管理者へ促すことができる。
【０００９】
また、パソコンのＣＰＵから送信されたＭＡＣアドレスには、機種の部分（機種名）を示す特定のバイト以外に、施設特有の部分（製造元）を示す特定のバイト、同一システム内に設置される通話端末（子機、親機のうち少なくとも１）及び制御装置それぞれの部分（端末番号）を示す特定のバイトが割り当てられているため、同一システム内に同機種の通話端末が複数存在していてもデータ書き込み・ダウンロード先を間違えることはなく、正しいデータ書き込み・ダウンロードが可能となる。
【図面の簡単な説明】
【００１０】
【図１】本発明の実施例によるインターホンシステムの全体構成を示すシステム図。
【図２】本発明の実施例によるインターホンシステムの具体的な構成を示すブロック図。
【図３】本発明の実施例によるインターホンシステムの具体的な動作を示すフローチャート図。
【発明を実施するための形態】
【００１１】
以下、本発明のインターホンシステムを適用した実施の形態例について、図面を参照して説明する。
【００１２】
図１は、本発明の実施例によるインターホンシステムの全体構成を示すシステム図であり、このインターホンシステムは、学校・工場等の施設（業務用施設）に設置されている。
【００１３】
図１に示すインターホンシステムには、ＭＡＣアドレス、機種名が予め割り当てられており通話機能を有する少なくとも１の当該通話端末であって、学校・工場等の施設において例えば、学校における複数の教室内や工場における作業場に設置される子機１、前述の学校における職員室又は管理室や工場における事務所（管理事務所）に設置される親機２と、通話端末１、２を管理・制御するための制御装置３と、通話端末１、２の設定変更又はファームウェアのアップデートを実行するためのパソコン４と、所定のＬＡＮケーブルＬをそれぞれ経由して通話端末１、２、制御装置３及びパソコン４の相互間におけるデータ通信を行うためのＬＡＮ６に接続されたルータ５とが備えられている。なお、ルータ５には、インターネット７を接続することもできる。
【００１４】
なお、同一の施設内のような１システム内において、通話端末（子機、親機のうち少なくとも１）１、２は最大３２台設けることができ、その組み合わせは、子機１、親機２の当該端末毎に任意とされる。また、制御装置３についても最大８台設けることができる。ここでは、子機１、親機２及び制御装置３のみならずパソコン４についても、それぞれが１台ずつ設けられているものとする。
【００１５】
図１に示す子機１は、親機２との間で行われる呼出し、呼出応答等の操作機能を構成する操作部１０と、親機２との間で行われる通話の通話機能を構成しマイク及びスピーカを有する通話部１１と、通話部１１のスピーカとともに（後述の）報知機能を構成する表示部１２とを有している。また、親機２は、子機１との間で行われる呼出し、呼出応答等の操作機能を構成する操作部２０と、子機１との間で行われる通話の通話機能を構成しマイク及びスピーカを有する通話部２１と、通話部２１のスピーカとともに報知機能を構成する表示部２２とを有している。さらに、パソコン４は、通話端末（子機、親機のうち少なくとも１）１、２の設定変更又はファームウェアのアップデートを行うための制御データを入力するとともに通話端末１、２を選択するための操作機能を有する操作部４０と、報知機能を構成する表示部４１とを有している。なお、パソコン４には、通話端末１、２の通話部１１、２１と同様な通話機能を備えることもできる。
【００１６】
次に、前述のインターホンシステムに係る具体的な構成について、図２のブロック図を参照して説明する。なお、制御装置３及びルータ５に係る具体的な構成の図示及びその説明は省略するものとする。
【００１７】
図２に示すインターホンシステムにおいて、子機１には、前述の操作部１０、通話部１１及び表示部１２と、当該子機の構成各部を制御するとともにパソコン４の後述するＣＰＵ４２から送信されるＭＡＣアドレス及び自端末のＭＡＣアドレスの照合機能、当該ＭＡＣが有する特定ビットについての参照機能を有するＣＰＵ（以下、子機ＣＰＵという。）１３と、子機ＣＰＵ１３及び（ＬＡＮケーブルＬに接続された）ＬＡＮ８間のデータ伝送路を形成するためのイーサネット（登録商標）等のインターフェース（以下、子機Ｉ／Ｆという。）１４とが備えられている。
【００１８】
また、親機２には、前述の操作部２０、通話部２１及び表示部２２と、当該親機の構成各部を制御するとともにパソコン４のＣＰＵ４２から送信されるＭＡＣアドレス及び自端末のＭＡＣアドレスの照合機能、当該ＭＡＣが有する特定ビットについての参照機能を有するＣＰＵ（以下、親機ＣＰＵという。）２３と、親機ＣＰＵ２３及び（ＬＡＮケーブルＬに接続された）ＬＡＮ８間のデータ伝送路を形成するためのイーサネット（登録商標）等のインターフェース（以下、親機Ｉ／Ｆという。）２４とが備えられている。
【００１９】
さらに、パソコン４には、前述の操作部４０、表示部４１と、当該パソコンの構成各部を制御するとともに通話端末（子機、親機のうち少なくとも１）１、２が有するＩＰアドレスに対して設定変更又はファームウェアのアップデートに係る制御データをＭＡＣアドレスとともに送信する機能、通話端末１、２のＣＰＵ（子機ＣＰＵ、親機ＣＰＵ）１３、２３の照合結果を受信／検出する機能を有するＣＰＵ（以下、パソコンＣＰＵという。）４２と、パソコンＣＰＵ４２及び（ＬＡＮケーブルＬに接続された）ＬＡＮ６間のデータ伝送路を形成するためのイーサネット（登録商標）等のインターフェース（以下、パソコンＩ／Ｆという。）４３とが備えられている。
【００２０】
このように構成された本発明の実施例によるインターホンシステムにおいて、以下、具体的な動作を、図１、図２及び図３のフローチャート図をそれぞれ参照して説明する。
【００２１】
図１、図２に示すパソコン４のユーザーである例えば、当該インターホンシステムの施工・管理者は、（制御装置３に予め登録されており）パソコンＣＰＵ４２の制御によって表示部４１に表示されているシステム設定用ブラウザ画面に基づき、設定変更又はファームウェアのアップデートが必要とされる通話端末（子機、親機）１、２うち少なくとも１について、操作部４０を使用して選択する（ステップＳＴ１、ＳＴ２）。この操作を検出したパソコンＣＰＵ４２は、選択された通話端末として、ここでは、子機１が有するＩＰアドレスを特定・指定し（ステップＳＴ３）、このＩＰアドレスを含み設定変更又はファームウェアのアップデートに係る（プログラムを有する）制御データを生成する。また、パソコンＣＰＵ４２は、前述の制御データ及び子機１のＭＡＣアドレス、例えば、「００：２６：６７：０Ｂ：００：２０」を、パソコンＩ／Ｆ４３からＬＡＮケーブルＬを経由してルータ５に接続されるＬＡＮ６を介し、（前述のＩＰアドレスが一致する）子機１に送信する（ステップＳＴ４）。
【００２２】
なお、前述のＭＡＣアドレスのビット構成として、ここでは、（先頭である）１バイト目の「００」から２バイト目の「２６」を介して３バイト目、すなわち２４ビット目の「６７」までのビット構成により「製造元」が特定され、４バイト目の「０Ａ」、「０Ｂ」、「０Ｃ」はそれぞれ、「制御装置」、「子機」、「親機」を特定するための「機種名」であり、さらに、５、６バイト目のビット構成は、同一システム（施設）内に設置される通話端末（子機、親機）１、２及び制御装置３それぞれに割り当てられる「端末番号」であり、各バイトは、「１６進法」で表される。また、子機１を除く他の通話端末である親機２及び制御装置３のＭＡＣアドレスとしては、例えば、「機種名」が「０Ｃ」で表される親機２のＭＡＣアドレス「００：２６：６７：０Ｃ：００：３０」、「機種名」が「０Ａ」で表される制御装置３のＭＡＣアドレス「００：２６：６７：０Ａ：００：１０」、がそれぞれ割り当てられている。
【００２３】
子機１は、ＬＡＮ６を経由してパソコン４のパソコンＣＰＵ４２から送信されてきた制御データ及びＭＡＣアドレスを子機Ｉ／Ｆ１４にて受信する。また、子機ＣＰＵ１３は、子機Ｉ／Ｆ１４にて受信したＭＡＣアドレスと自端末のＭＡＣアドレスとを照合する（ステップＳＴ５）。
【００２４】
ここで、子機１における子機ＣＰＵ１３の照合結果として、当該ＭＡＣアドレスが一致する、例えば、１バイト目から３バイト目までのビット構成が「００：２６：６７」で一致するように「製造元」が同一であり、さらには当該ＭＡＣアドレスが有する特定のバイトである「４バイト目」が子機の機種（機種名）を示す「０Ｂ」で一致した場合（ステップＳＴ６）、これを検出した子機ＣＰＵ１３は、前述のＭＡＣアドレスとともに併せて送信されてきた制御データが有効であると判別し、その旨を例えば、通話部１１のスピーカからの確認音の鳴動や表示部１２を利用した確認メッセージ・絵表示等で報知（確認報知）するとともに、設定変更又はファームウェアのアップデートに係るプログラムの書き込み・ダウンロードを開始・実行する（ステップＳＴ７）。また、子機ＣＰＵ１３は、パソコン４が有するＩＰアドレスを含み前述の照合結果及びダウンロードが成功された旨の照合結果データ（以下、第１の照合結果データという。）を生成し、この第１の照合結果データ及び自端末のＭＡＣアドレスを、子機Ｉ／Ｆ１４からＬＡＮケーブルＬを経由してルータ５に接続されるＬＡＮ６を介し、（前述のＩＰアドレスが一致する）パソコン４に送信する（ステップＳＴ８）。
【００２５】
一方、子機１における子機ＣＰＵ１３の照合結果として、当該ＭＡＣアドレスが不一致、例えば、１バイト目から３バイト目までのビット構成が「００：２６：６７」で一致せず、ゆえに「製造元」が非同一である、又は「製造元」が同一であっても当該ＭＡＣアドレスが有する特定のバイトである４バイト目が子機１を示す「０Ｂ」でなく例えば、親機２を示す「０Ｃ」で一致しなかった場合（ステップＳＴ６）、これを検出した子機ＣＰＵ１３は、前述のＭＡＣアドレスとともに併せて送信されてきた制御データが無効であると判別してダウンロードを開始・実行せず、エラー（エラー送信）である旨を例えば、通話部１１のスピーカからの警報音の鳴動や表示部１２を利用した警報メッセージ・絵表示等で報知（エラー報知）する（ステップＳＴ９）。また、子機ＣＰＵ１３は、パソコン４が有するＩＰアドレスを含み前述の照合結果に係る例えば、エラー（エラー送信）である旨の照合結果データ（以下、第２の照合結果データという。）を生成し、この第２の照合結果データ及び自端末のＭＡＣアドレスを、子機Ｉ／Ｆ１４からＬＡＮケーブルＬを経由してルータ５に接続されるＬＡＮ６を介し、（前述のＩＰアドレスが一致する）パソコン４に送信する（ステップＳＴ１０）。
【００２６】
パソコン４は、ＬＡＮ６を経由して子機１の子機ＣＰＵ１３から送信されてきた第１又は第２の照合結果データ、及びＭＡＣアドレスをパソコンＩ／Ｆ４３にて受信する。また、パソコンＣＰＵ４２は、パソコンＩ／Ｆ４３にて受信したＭＡＣアドレスに基づき受信データが子機１の子機ＣＰＵ１３からの送信データであることを検出し、同様に受信した照合結果データの相違に基づき、第１の照合結果データであった場合には、子機１が有するＩＰアドレスに対しての設定変更又はファームウェアの書き込み・アップデートが成功したことを確認し、その旨を例えば、表示部４１を利用した確認メッセージ・絵表示等で報知（成功報知）する（ステップＳＴ１１、ＳＴ１３）。一方、第２の照合結果データであった場合には、子機１が有するＩＰアドレスに対しての設定変更又はファームウェアのアップデートが開始・実行されずデータ送信自体がエラー（エラー送信）であったこと確認し、その旨を例えば、表示部４１を利用した警報メッセージ・絵表示等で報知（エラー報知）する（ステップＳＴ１２、ＳＴ１３）。なお、パソコン４によれば、通話端末（子機、親機）１、２の通話部１１、２１と同様な通話機能が備えられている場合には、前述のような表示部４１を利用した視覚的な報知（成功報知、エラー報知）を、スピーカを使用した聴覚的報知で行うこともできる。
【００２７】
前述までの説明から明らかなように、子機１の子機ＣＰＵ１３は、パソコン４のパソコンＣＰＵ４２から送信されたＭＡＣアドレスと自端末のＭＡＣアドレスとを照合し、さらには当該ＭＡＣが有する特定のバイト（４バイト目）を参照することで、制御データに係る機種（機種名）を判別することができるため、間違った機種の端末へのデータ書き込み・ダウンロードを実行しようとした場合、エラー（エラー送信）であると報知することができるばかりでなく、その旨の照合結果をパソコン４に転送し報知させることで、正しい書き込み・ダウンロードを実行するように当該インターホンシステムの施工・管理者へ促すことができ、同様な効果については、子機１のみならず、設定変更又はファームウェアのアップデートが必要とされる他の通話端末である親機２に対しても適用される。
【００２８】
また、パソコン４のパソコンＣＰＵ４２から送信されたＭＡＣアドレスには、機種の部分（機種名）を示す特定のバイト（４バイト目）以外に、施設特有の部分（製造元）を示す特定のバイト（１バイト目から３バイト目）、同一システム内に設置される通話端末（子機、親機のうち少なくとも１）１、２及び制御装置３それぞれの部分（端末番号）を示す特定のバイト（５、６バイト目）が割り当てられているため、同一システム内に同機種の通話端末が複数存在していてもデータ書き込み・ダウンロード先を間違えることはなく、正しいデータ書き込み・ダウンロードが可能となる。
【００２９】
なお、本発明のインターホンシステムにおいては、特定の実施の形態をもって説明してきたが、この形態に限定されるものでなく、本発明の効果を奏する限り、これまで知られた如何なる構成の当該システム、例えば、多種・多様な規模の施設、具体的には、その規模に対応させて例えば、通話端末（子機、親機）１、２の台数が可変される施設に適用・採用できるということはいうまでもないことである。
【符号の説明】
【００３０】
１……子機（通話端末）
１１……通話部（報知部）
１２……表示部（報知部）
１３……子機ＣＰＵ（ＣＰＵ）
２……親機（通話端末）
２１……通話部（報知部）
２２……表示部（報知部）
２３……親機ＣＰＵ（ＣＰＵ）
３……制御装置
４……パソコン
４２……パソコンＣＰＵ（ＣＰＵ）
５……ルータ
６……ＬＡＮ
【図１】
2013046243.tif 000003
【図２】
2013046243.tif 000004
【図３】
2013046243.tif 000005